(57)【特許請求の範囲】
【請求項１】
記録媒体挿入口を有するパネルエスカッションと、上記パネルエスカッションにリンク機構によって上記記録媒体挿入口を隠す閉位置と上記記録媒体挿入口を露出させる開位置とに円弧軌道を描いてスライド可能に取り付けられたスライドドアとからなる前面パネルであって、上記リンク機構は、上記スライドドアの開閉時に、上記スライドドアを上記パネルエスカッションに押さえ付ける方向に付勢すると共に上記スライドドアを開位置および閉位置に保持する１個の弾性部材を備え、この弾性部材は、鋼線等の線細工で作られ、中間部を折り曲げて「く」字状に形成され、上記リンク機構の拡がろうとする動きに対してその動きを抑制するように働く引張バネ部と、該引張バネ部の両端に直角方向に一体形成され、上記スライドドアを上記パネルエスカッションに押さえ付けるための渦巻き状バネ部とを有する線細工バネから構成されていることを特徴とする音響機器の前面パネル。
【請求項２】
前記渦巻き状バネ部は、前記引張バネ部の両端からの巻き始めの径が小さく次第に径が大きくなるように巻かれると共にその先端が「く」状の鋭角側から鈍角側に向かうように巻かれていることを特徴とする請求項１記載の音響機器の前面パネル。
【請求項３】
記録媒体挿入口を有するパネルエスカッションと、上記パネルエスカッションにリンク機構によって上記記録媒体挿入口を隠す閉位置と上記記録媒体挿入口を露出させる開位置とに円弧軌道を描いてスライド可能に取り付けられたスライドドアとからなる前面パネルであって、上記リンク機構は、上記スライドドアの開閉時に、上記スライドドアを上記パネルエスカッションに押さえ付ける方向に付勢すると共に上記スライドドアを開位置および閉位置に保持する１個の弾性部材を備え、この弾性部材は、鋼線等の線細工で作られ、上記リンク機構の拡がろうとする動きに対してその動きを抑制するように働くコイル状引張バネ部と、このコイル状引張バネ部の両端に直角方向に形成され、上記スライドドアを上記パネルエスカッションに押さえ付けるためのコイル状バネ部とからなる線細工バネから構成されていることを特徴とする音響機器の前面パネル。
【請求項４】
記録媒体挿入口を有するパネルエスカッションと、上記パネルエスカッションにリンク機構によって上記記録媒体挿入口を隠す閉位置と上記記録媒体挿入口を露出させる開位置とに円弧軌道を描いてスライド可能に取り付けられたスライドドアとからなる前面パネルであって、上記リンク機構は、上記スライドドアの開閉時に、上記スライドドアを上記パネルエスカッションに押さえ付ける方向に付勢すると共に上記スライドドアを開位置および閉位置に保持する１個の弾性部材を備え、この弾性部材は、板金から一体形成され、中間部分が山形に折り曲げられ、上記リンク機構の拡がろうとする動きに対してその動きを抑制するように働く引張バネ部と、この引張バネ部から上方に湾曲するように曲げられ、上記スライドドアを上記パネルエスカッションに押さえ付けるための湾曲状バネ部とからなる板バネから構成されていることを特徴とする音響機器の前面パネル。
【発明の詳細な説明】
【０００１】
【発明の属する技術分野】
本発明は、音響機器の前面パネルに関し、特に車載用音響機器の前面パネルに適用して好適となるものである。
【０００２】
【従来の技術】
図９から図１５は、従来の音響機器の前面パネルの構造例を示す図面である。図９は、従来の音響機器の前面パネルの斜視図であり、ドア案内部となるパネルエスカッション１と、このパネルエスカッション１にスライド可能に取り付けられたスライドドア２との関係を示す。パネルエスカッション１とスライドドア２からなる前面パネルは、音響機器本体の前面に取り付けられて使用されるが、音響機器本体は、本発明の構成用件に必須のものではないので、ここでは図面から省略されている。
【０００３】
スライドドア２は、通常状態では、図９（Ａ）に示すように、パネルエスカッション１に設けられ、図示しない記録媒体（たとえば、カセット、ＣＤ、ＭＤ（ミニディスク）など）を挿入するための記録媒体挿入口１ａを隠す位置に配置されている。スライドドア２の裏面と、スライドドア２の裏面が接するパネルエスカッション１の表面とは、円弧状に形成されている。
【０００４】
スライドドア２は、その上部から下方向（矢印Ｘ）に荷重を加えると、パネルエスカッション１の表面に沿って円弧軌道を描きながらスライド下降する動作を行う。このような動作は、スライドドア２の裏面に組み込まれて、スライドドア２をパネルエスカッション１に連結するためのリンク機構３（図１０および図１１参照）で行われる。
【０００５】
スライドドア２のスライド動作完了後、図９（Ｂ）に示すように、スライドドア２で隠されていたパネルエスカッション１の記録媒体挿入口３が露出され、記録媒体（図示しない）を挿入することができる。挿入された記録媒体は、音響機器本体に設けられている記録媒体再生メカ（図示しない）によって再生される。
【０００６】
上述のスライドドア２の内部構造は、たとえば図１０に示す構造になっている。図１０に示すように、スライドドア２の外観面からみて裏側（すなわち、パネルエスカッション１に面する側）には、リンク機構３が組み込まれている。
【０００７】
リンク機構３は、アームアセンブリ４，５と、アームアセンブリ４，５をスライドドア２に取り付けるための取付ブラケット６およびネジ７とから構成されている。取付ブラケット６の表面は、パネルエスカッション１の円弧状表面に合わせて、円弧状に形成されている
【０００８】
アームアセンブリ４は、アーム４ａと、アーム４ａの一方の端部に立設された丸ボス部４ｂとからなる。アーム４ａは、他方の端部に開けられたリンク穴４ａ１と、アーム長の中間よりややリンク穴４ａ１寄りの場所に開けられた支点穴４ａ２とを有する。
【０００９】
また、アームアセンブリ５は、アーム５ａと、アーム５ａの一方の端部に立設された丸ボス部５ｂと、アーム５ａの他方の端部に立設され、アームアセンブリ４のリンク穴４ａ１に遊嵌されるリンクピン５ｃとからなる。アーム５ａは、アーム長の中間よりややリンクピン５ｃ寄りの場所に開けられた支点穴５ａ１を有する。
【００１０】
アームアセンブリ４，５は、各々の支点穴４ａ２，５ａ１が、それぞれ、スライドパネル２と一体に形成されている支点軸２ａ（図１１参照）に回転可能に嵌め込まれ、リンクピン５ｃとリンク穴４ａ１の遊嵌によって連結されている。支点軸２ａには、ネジ穴２ａ１が設けられている（図１１参照）。
【００１１】
取付ブラケット６には、支点軸２ａのネジ穴２ａ１に対応する位置に設けられた２つのネジ穴６ａと、中央付近に設けられた、リンクピン５ｃとリンク穴４ａ１の遊嵌を観測できる長穴６ｂが形成されている。
【００１２】
アームアセンブリ４，５は、この支点軸２ａのネジ穴２ａ１に取付ブラケット６のネジ穴６ａを介してネジ７を挿入することにより、スライドドア２の裏面にリンク動作可能に組み込まれる。
【００１３】
次に、上述のリンク機構３の動作を図１１を用いて説明する。図１１では、リンク機構３の動作を見易くするために、スライドドア２の裏面から取付ブラケット６とネジ７を取り外した状態が示されている。
【００１４】
図１１（Ａ）において、アームアセンブリ４の丸ボス部４ｂに下側方向に荷重をかけると、アームアセンブリ４がスライドドア２の支点軸２ａを支点として、丸ボス部４ｂが円軌道を描いて下方へ旋回し始める。それに伴って、アームアセンブリ４のリンク穴４ａ１が上方に移動することにより、アームアセンブリ５のリンクピン５ｃに力が伝達される。それにより、アームアセンブリ５のリンクピン５ｃが上方に移動し、丸ボス部５ｂも、スライドドア２の支点軸２ａを支点として、円軌道を描いて下方へ旋回する。
【００１５】
そして、アームアセンブリ４とアームアセンブリ５は、図１１（Ｂ）に示すように、両方が一線に並ぶ中間地点を経て、図１１（Ｃ）に示すように、図１１（Ａ）に示す谷形から山形になる状態に至る。
【００１６】
一方、図１１（Ａ）において、アームアセンブリ４の丸ボス部４ｂではなく、アームアセンブリ５の丸ボス部５ｂに荷重を加えても、同様に、図１１（Ｂ）の状態を経て図１１（Ｃ）の状態に至る。
【００１７】
次に、スライドドア２のパネルエスカッション１への取り付けについて図１２に基づいて説明する。
【００１８】
図１２（Ａ）に示すように、スライドドア２は、リンク機構３のアームアセンブリ４，５の丸ボス部４ｂ，５ｂが、パネルエスカッション１に設けられた横長穴形状の取付穴１ｂに挿入されることによって、パネルエスカッション１に取り付けられる。図１２（Ｂ）に示すように、パネルエスカッション１への取付時、リンク機構３のアームアセンブリ４，５は、図１１（Ｃ）に示す山形の状態になっている。この状態では、各丸ボス部４ｂ，５ｂは、スライドドア２の下部に位置している。
【００１９】
このとき、リンク機構３のアームアセンブリ４，５の丸ボス部４ｂ，５ｂは、取付穴１ｂで上下方向の動きが規制される。この規制により、図１１で説明した動作において、実際には、アームアセンブリ４，５の丸ボス部４ｂ，５ｂは、上下方向には動作できない。
【００２０】
したがって、アームアセンブリ４，５の丸ボス部４ｂ，５ｂが、上下方向に規制されている時に、図１２（Ｂ）に示すように、記録媒体挿入口１ａが隠されている閉状態にあるスライドドア２の上部から下方向（矢印Ｘ）に荷重を加えると、図１１で説明した動作と異なり、アームアセンブリ４，５の支点穴４ａ２，５ａ１が、各丸ボス部４ｂ，５ｂを支点として下方に移動する。これにより、アームアセンブリ４，５の支点穴４ａ２，５ａ１が嵌め込まれているスライドドア２の支点軸２ａも下方に移動し、それに応じて、スライドドア２全体は、パネルエスカッション１の円弧状表面に沿って円弧軌道を描きながら下方へスライド移動する。
【００２１】
そして、スライドドア２は、図１２（Ｃ）に示すように、アームアセンブリ４，５が一線に並ぶ中間地点までスライド移動する。スライドドア２は、引き続きスライド移動し、図１２（Ｄ）に示すように、スライド移動が完了して開ききった状態になる。それにより、記録媒体挿入口１ａが完全に露出される。このスライドドア２の開ききった状態では、アームアセンブリ４，５の各丸ボス部４ｂ，５ｂは、図１１（Ａ）に示す谷形の状態になる。この状態では、各丸ボス部４ｂ，５ｂは、スライドドア２の上側に位置している。
【００２２】
このように、リンク機構３は、スライドドア２の上部の、正面から見て左右方向のどの地点で下方向に荷重を加えても、スライドドア２を均一にパネルエスカッション１の下側方向に移動させることができる。すなわち、図９において、スライドドア２の上部の右側、左側、中央のいずれの地点を押しても、図１１において、スライドドア２の支点軸２ａに均一に力が加わるようになっている。
【００２３】
ここで、スライドドア２が、図１１および図１２に示すような動作をする時、動作自体の原理は上述の通りだが、図１０，１１，１２に示した構造のままでは、スライドドア２は、上部から荷重を加えなくても、自重で円弧軌道の動作を始めてしまい、スライドドア２が開ききってからもガタが発生してしまう。また、スライドドア２をパネルエスカッション１に保持しないことには、スライドドア２は、パネルエスカッション１から容易に取り外すことが可能になってしまうので、スライドドア２は、パネルエスカッション１に常に押さえ付けられていなければならない。
【００２４】
それでは、従来の技術では、上述の問題をどのようにして解決していたかを図１３から図１５に基づいて説明する。
【００２５】
図１３は、上述の問題を解決した従来の前面パネルの構造例を示す分解斜視図、図１４は、図１３の前面パネルの略断面図、図１５は、スライドドア２が開閉動作する時のアームアセンブリ４，５の丸ボス部４ｂ，５ｂの左右方向の移動動作に対する板バネ押さえ部材９および線細工バネ１０の移動動作の関係を説明するための略図である。なお、各図において、図１０，１１，１２と同一の部品には同一符号を付して説明する。
【００２６】
図１３において、新たに追加された部品は、板バネ８、板バネ押さえ部材９、線細工バネ１０およびＥリング１１である。板バネ８は、所定寸法の板金を金型成型にて作られ、板バネ押さえ部材９は、樹脂成型で作られ、線細工ばね１０は、鋼線等の線細工で作られ、Ｅリング１１は、金属から作られている。
【００２７】
ここで、図１２に戻ると、スライドドア２がパネルエスカッション１の円弧状表面に沿ってスライド動作する時、パネルエスカッション１の裏面からアームアセンブリ４，５の各丸ボス部４ｂ，５ｂが突出する。ところが、パネルエスカッション１の裏面からの各丸ボス部４ｂ，５ｂの突出量と裏面に対する角度とは一定ではなく、スライド動作中に変化する。これは、次のような理由による。
【００２８】
すなわち、スライドドア２は、パネルエスカッション１の円弧状表面に沿って円弧軌道を描いてスライド動作するが、リンク機構３のアームアセンブリ４，５の丸ボス部４ｂ，５ｂは、スライドドア２の裏面で上下方向に直線運動を行う。したがって、スライドドア２が閉じた状態では、図１２（Ｂ）に示すように丸ボス部４ｂ，５ｂの突出量は最大になる。次いで、スライドドア２をスライド動作させて開けるにしたがい、丸ボス部４ｂ，５ｂの突出量は、徐々に減少していき、図１２（Ｃ）に示すように中間地点で最小になる。次いで、丸ボス部４ｂ，５ｂの突出量は、中間地点を過ぎたところで、また徐々に増大していき、スライドドア２が開ききった図１２（Ｄ）に示す状態で再び最大になる。
【００２９】
このように、スライドドア２をパネルエスカッション１に押さえ付ける時に、保持する部品の突出量に変化がある場合には、バネ性のある部品でなければ、スライド動作の全ての過程においてスライドドア２をパネルエスカッション１に押さえ付けることができない。
【００３０】
そこで、アームアセンブリ４，５の丸ボス部４ｂ，５ｂを板バネ８の穴８ａに通す。次いで、板バネ８の弾性を保つために、丸ボス部４ｂ，５ｂは、板バネ８の穴８ａに通したまま、板バネ押さえ部材９の穴９ａにも通す。次いで、丸ボス部４ｂ，５ｂの先端付近の外周に形成された溝４ｂ１，５ｂ１にＥリング１１を引掛ける。以上の構造により、スライドドア２がパネルエスカッション１に押さえ付けられている。
【００３１】
この構造を採用することにより、スライドドア２が閉じた状態（図１４（Ａ）参照）から中間の状態（図１４（Ｂ）参照）を経て開けきる状態（図１４（Ｃ）参照）に至るまで、パネルエスカッション１の裏面から突出するアームアセンブリ４，５の丸ボス部４ｂ，５ｂの突出量が変化しても、板バネ８の弾性が、常に、スライドドア２をパネルエスカッション１に押さえ付ける方向に付勢する役割を果たしている。
【００３２】
次に、スライドドア２が閉じている状態または開いた状態のどちらの場合においてもガタが生じないようにすると共に両状態時の位置保持方法について説明する。
【００３３】
図１１でわかるように、アームアセンブリ４，５の丸ボス部４ｂ，５ｂは、支点軸２ａに対して旋回動作するので、それに応じて丸ボス部４ｂ，５ｂの左右方向（横方向）の位置が変化する。そのため、パネルエスカッションの取付穴１ｂは、上述の左右方向の位置変化に対応すべく横長穴形状に形成されている。したがって、アームアセンブリ４，５の丸ボス部４ｂ，５ｂは、スライドドア２の開閉動作時、パネルエスカッション１の取付穴１ｂにより上下方向（縦方向）の動作の規制はされているが、左右方向にはある程度移動することができる。
【００３４】
そして、アームアセンブリ４，５の丸ボス部４ｂ，５ｂは、スライドドア２が開いた時と閉じた時に互いに最も近づき、アームアセンブリ４，５が一線に並んだ時に互いに最も離れる。そこで、アームアセンブリ４，５の丸ボス部４ｂ，５ｂが互いに最も近づいたときに、丸ボス部４ｂ，５ｂ同士を引張り合えば、スライドドア２が開いた時と閉じた時の横方向のスライドドア２のガタをなくすと共にその状態の位置保持を行うことが可能である。
【００３５】
上述のことから、線細工バネ１０が追加され、スライドドア２が開いた時と閉じた時のスライドドア２のガタをなくすと共に両状態の位置保持を行っている。
【００３６】
線細工バネ１０は、たとえば、中間が直線で途中から両端に向けて折り曲げられた形状とされ、その両端を、アームアセンブリ４，５の丸ボス部４ｂ，５ｂに通された各板バネ押さえ部材９の穴９ｂにそれぞれ引掛けて取り付けられる。
【００３７】
図１５に示すように、アームアセンブリ４，５の丸ボス部４ｂ，５ｂが、旋回動作に応じて左右方向に距離ｄだけ移動する時、板バネ押さえ部材９も左右方向に距離ｄだけ移動するので、線細工バネ１０が、点線で示すように引張られる。このことにより、スライドドア２を開閉させる時（開→閉、閉→開のどちらの動作を行なわせる時でも）、最初の閉じた状態または開いた状態では、既に線細工バネ１０が丸ボス部４ｂ，５ｂを引張り合っているので、スライドドア２はガタつかず、その位置で保持される。
【００３８】
最初の閉じた状態または開いた状態からスライドドア２をスライド動作させると、丸ボス部４ｂ，５ｂが左右に離れる方向に移動し、線細工バネ１０が引張られ、その張力によりバネ力が増大する。丸ボス部４ｂ，５ｂが左右に最も離れる状態、すなわちスライドドア２の開閉動作の中間地点を過ぎると、線細工バネ１０の張力により、丸ボス部４ｂ，５ｂが引き寄せられ、スライド動作終了に向けて加速する。そして、スライド動作終了後でも、線細工バネ１０の張力により、スライドドア２のガタがなくなると共にその状態で位置保持される。
【００３９】
【発明が解決しようとする課題】
以上のように、従来の技術では、スライドドア２をパネルエスカッション１に押さえ付ける板バネ８と、スライドドア２の横方向のガタつきをなくすための線細工バネ１０との２個のバネ部材を別々に使用している。さらに、板バネ８と線細工バネ１０のほかに、直接スライド動作を制御しない板バネ押さえ部材９等の部品も必要である。したがって、部品数や工数が多くなり高コストとなると共に、組み立て性が悪くなる。また、車載用音響機器のように、外形寸法に大きな制限がある場合、他の部分を犠牲にしたり、デザインの制約度が大きくなる等の問題が多々発生する。
【００４０】
そこで、本発明の目的は、上記従来の問題を解決し、部品点数の削減、作業性の向上、省スペース、コストダウン等を実現することができる音響機器の前面パネルを提供することにある。
【００４１】
【課題を解決するための手段】
上記した目的にかんがみて、本発明の音響機器の前面パネルは、記録媒体挿入口を有するパネルエスカッションと、パネルエスカッションにリンク機構によって記録媒体挿入口を隠す閉位置と記録媒体挿入口を露出させる開位置とに円弧軌道を描いてスライド可能に取り付けられたスライドドアとからなる前面パネルであって、リンク機構は、スライドドアの開閉時に、スライドドアをパネルエスカッションに押さえ付ける方向に付勢すると共にスライドドアを開位置および閉位置に保持する１個の弾性部材を備え、弾性部材は、鋼線等の線細工で作られ、中間部を折り曲げて「く」字状に形成され、リンク機構の拡がろうとする動きに対してその動きを抑制するように働く引張バネ部と、該引張バネ部の両端に直角方向に一体形成され、スライドドアをパネルエスカッションに押さえ付けるための渦巻き状バネ部とを有する線細工バネから構成されている。
【００４２】
それにより、従来複数のバネ部材で行っていた作用を１個の弾性部材で行うことができ、部品点数が削減され、組立性の向上やコストダウンにつながる。また、部品点数の削減により、バネ周辺の設計に余裕ができるため、パネル部の厚みを薄くできる等、音響機器のような外形寸法が制限されている場所でのデザインの自由度が増す。また、１個の線細工バネのみを使用して、スライドドアの開閉時に、スライドドアをパネルエスカッションに押さえ付ける方向に付勢すると共にリンク機構がせばまる方向に付勢することができる。この結果、リンク機構で動作するスライドドアを開位置や閉位置に保持させることができる。また、弾性部材は、鋼線等の線細工で作られるので、金型も不要になり、金型費用も発生しない。
【００４３】
また、他の発明は、上述の各発明の音響機器の前面パネルに加え、渦巻き状バネ部は、引張バネ部の両端からの巻き始めの径が小さく次第に径が大きくなるように巻かれると共にその先端が「く」状の鋭角側から鈍角側に向かうように巻かれている。これにより、弾性部材の引張バネ部が拡開するとき、その拡開力に抗する付勢力が確実に蓄えられると共に、弾性部材に過度のストレスが加わらなくなる。このため、安定した動作を長期間維持することができることとなる。
【００４４】
また、他の発明の音響機器の前面パネルは、記録媒体挿入口を有するパネルエスカッションと、パネルエスカッションにリンク機構によって記録媒体挿入口を隠す閉位置と記録媒体挿入口を露出させる開位置とに円弧軌道を描いてスライド可能に取り付けられたスライドドアとからなる前面パネルであって、リンク機構は、スライドドアの開閉時に、スライドドアをパネルエスカッションに押さえ付ける方向に付勢すると共にスライドドアを開位置および閉位置に保持する１個の弾性部材を備え、この弾性部材は、鋼線等の線細工で作られ、リンク機構の拡がろうとする動きに対してその動きを抑制するように働くコイル状引張バネ部と、このコイル状引張バネ部の両端に直角方向に形成され、スライドドアをパネルエスカッションに押さえ付けるためのコイル状バネ部とからなる線細工バネから構成されている。それにより、従来複数のバネ部材で行っていた作用を１個の弾性部材で行うことができ、部品点数が削減され、組立性の向上やコストダウンにつながる。また、部品点数の削減により、バネ周辺の設計に余裕ができるため、パネル部の厚みを薄くできる等、音響機器のような外形寸法が制限されている場所でのデザインの自由度が増す。また、１個の線細工バネのみを使用して、スライドドアの開閉時に、スライドドアをパネルエスカッションに押さえ付ける方向に付勢すると共にリンク機構がせばまる方向に付勢することができる。この結果、リンク機構で動作するスライドドアを開位置や閉位置に保持させることができる。また、弾性部材は、鋼線等の線細工で作られるので、金型も不要になり、金型費用も発生しない。
【００４５】
さらに、他の発明の音響機器の前面パネルは、記録媒体挿入口を有するパネルエスカッションと、パネルエスカッションにリンク機構によって記録媒体挿入口を隠す閉位置と記録媒体挿入口を露出させる開位置とに円弧軌道を描いてスライド可能に取り付けられたスライドドアとからなる前面パネルであって、リンク機構は、スライドドアの開閉時に、スライドドアをパネルエスカッションに押さえ付ける方向に付勢すると共にスライドドアを開位置および閉位置に保持する１個の弾性部材を備え、この弾性部材は、板金から一体形成され、中間部分が山形に折り曲げられ、リンク機構の拡がろうとする動きに対してその動きを抑制するように働く引張バネ部と、この引張バネ部から上方に湾曲するように曲げられ、スライドドアを前記パネルエスカッションに押さえ付けるための湾曲状バネ部とからなる板バネから構成されている。それにより、従来複数のバネ部材で行っていた作用を１個の弾性部材で行うことができ、部品点数が削減され、組立性の向上やコストダウンにつながる。また、部品点数の削減により、バネ周辺の設計に余裕ができるため、パネル部の厚みを薄くできる等、音響機器のような外形寸法が制限されている場所でのデザインの自由度が増す。また、１個の板バネのみを使用して、スライドドアの開閉時に、スライドドアをパネルエスカッションに押さえ付ける方向に付勢すると共にリンク機構がせばまる方向に付勢することができる。この結果、リンク機構で動作するスライドドアを開位置や閉位置に保持させることができる。
【００４６】
【発明の実施の形態】
以下、本発明に係る音響機器の前面パネルの実施の形態について図１から図４を参照して説明する。なお、各図において、図９から図１５に示す従来例と同じ構成要素は、同じ符号を付して説明する。また、この実施の形態は、車載用音響機器に適用したものとなっている。
【００４７】
図１は、本発明に係る音響機器の前面パネルの実施の形態を示す分解斜視図、図２（Ａ）および（Ｂ）は、図１における弾性部材の構成を示す正面図および平面図、図３は、図１の前面パネルの略断面図、図４は、スライドドアが開閉動作する時のアームアセンブリの各丸ボス部の左右方向の移動動作に対する弾性部材の引張バネ部の伸縮動作の関係を説明する略図である。
【００４８】
本発明に係る音響機器の前面パネルは、図１に示すように、図１３における板バネ８、板バネ押さえ部材９、丸ボス部４ｂ，５ｂの溝４ｂ１，５ｂ１、線細工バネ１０およびＥリングに代えて、弾性部材１２と、丸ボス部４ｂ，５ｂのネジ穴４ｂ２，５ｂ２と、セムスネジ１３を備えていることが特徴である。
【００４９】
弾性部材１２は、図２に示すように、鋼線等の線細工で作られ、ほぼ中間部を折り曲げて平面から見て「く」字状に形成された引張バネ部１２ａと、引張バネ部１２ａの両端にそれぞれ直角方向に一体形成された渦巻き状バネ部１２ｂとを有する線細工バネから構成されている。渦巻き状バネ部１２ｂは、図２（Ｂ）の平面図からわかるように、引張バネ部１２ａの両端から、引張バネ部１２ａの「く」字状の鋭角をなす中間部に向かう方向に巻き始めて、最初の径が小さく次第に直径が大きくなる渦巻き状に巻かれている。
【００５０】
この弾性部材１２の渦巻き状バネ部１２ｂの内径に、パネルエスカッション１の取付穴１ｂに挿入され裏面に抜けたアームアセンブリ４，５の丸ボス部４ｂ，５ｂを通す。次いで、丸ボス部４ｂ，５ｂのネジ穴４ｂ２，５ｂ２にそれぞれセムスネジ１３を挿入することにより、セムスネジ１３のワッシャ部１３ａが、渦巻き状バネ部１２ｂを押さえ付けている。この部分は、従来例でいう板バネ８、板バネ押さえ部材９およびＥリング１１に対応している。引張バネ部１２ａの中間部は、パネルエスカッション１の裏面に接触させている。以上の構造により、スライドドア２をパネルエスカッション１に押さえ付けている。
【００５１】
スライドドア２の開閉時、弾性部材１２の渦巻き状バネ部１２ｂは、スライドドア２をパネルエスカッション１に押さえ付ける作用を行い、引張バネ部１２ａは、スライドドア２のガタをなくすと共に開閉の両状態での位置保持作用を行う。これらの作用を以下に詳述する。
【００５２】
まず、弾性部材１２の渦巻き状バネ部１２ｂが、スライドドア２をパネルエスカッション１に押さえ付ける作用について説明する。
【００５３】
図３（Ａ）に示すように、スライドドア２が閉じた状態では、丸ボス部４ｂ，５ｂの突出量が最大になり、弾性部材１２の渦巻き状バネ部１２ｂは、最も伸張した状態となる。次いで、図３（Ｂ）に示すように、スライドドア２が中間点に位置する状態では、丸ボス部４ｂ，５ｂの突出量は、最小になり、弾性部材１２の渦巻き状バネ部１２ｂは、最も収縮した状態となる。次いで、スライドドア２が開ききった状態では、再び丸ボス部４ｂ，５ｂの突出量が最大になり、弾性部材１２の渦巻き状バネ部１２ｂは、最も伸張した状態となる。
【００５４】
このように、スライドドア２の開閉動作にしたがって、丸ボス部４ｂ，５ｂの突出量が変化しても、弾性部材１２の渦巻き状バネ部１２ｂが収縮し、その弾性による付勢力で、スライドドア２がパネルエスカッション１に押さえ付けられる。
【００５５】
次に、弾性部材１２の引張バネ部１２ａが、スライドドア２のガタをなくすと共に位置保持する作用について説明する。
【００５６】
図４に示すように、スライドドア２の開閉時、リンク機構３におけるアームアセンブリ４，５の丸ボス部４ｂ，５ｂが旋回するにつれて、上述したように丸ボス部４ｂ，５ｂの位置が左右方向に若干移動する。したがって、丸ボス部４ｂ，５ｂに通された弾性部材１２の渦巻き状バネ部１２ｂも、左右方向に若干移動する。それに応じて、最初実線に示すように丸ボス部４ｂ，５ｂを引張り合っていた弾性部材１２の「く」字状部１２ａが、点線で示すように伸張して丸ボス部４ｂ，５ｂを引張り合う。
【００５７】
このことにより、最初、スライドドア２は、閉じた状態または開いた状態にあるときは、すでに弾性部材１２の引張バネ部１２ａの弾性により丸ボス部４ｂ，５ｂが引張られているので、スライドドア２は、この力によって開位置方向または閉位置方向に付勢されており、ガタつかず、位置保持される。
【００５８】
次いで、スライドドア２を上述の付勢力に勝る力で押して、最初の閉じた状態または開いた状態からスライド動作させると、丸ボス部４ｂ，５ｂが左右に離れる方向に移動する。それにより、弾性部材１２の「く」字状部１２ａが引張られ、その張力によりバネ力が増大する。引き続きスライドドア２を増大したバネ力に勝る力で押し続けると、丸ボス部４ｂ，５ｂが左右に最も離れる状態、すなわちスライドドア２の開閉動作の中間点（アームアセンブリ４，５が一線上に並ぶ地点）に至る。
【００５９】
次いで、この中間点を過ぎると、スライドドア２は、弾性部材１２の「く」字状部１２ａの伸張時の張力により、丸ボス部４ｂ，５ｂが引き寄せられ、スライド動作終了に向けての移動が加速する。したがって、中間点を過ぎると、もはやスライドドア２を押す必要はなくなる。
【００６０】
そして、スライド動作終了後（すなわち、開いた状態または閉じた状態になった後）でも、弾性部材１２の「く」字状部１２ａの張力が相変わらず丸ボス部４ｂ，５ｂに加わっている。その結果、スライドドア２は、その力で開方向または閉方向に付勢されつづけ、ガタがなくなると共にその状態が保持される。
【００６１】
このように、スライドドア２の開閉時、弾性部材１２は、スライドドア２をパネルエスカッション１に押さえ付ける作用と、スライドドア２のガタをなくすと共に開または閉の状態を維持する作用との２つの作用を実行することができる。
【００６２】
以上の通り、本発明の実施の形態について説明したが、本発明は、これに限らず種々の変形、応用が可能である。
【００６３】
たとえば、引張バネ部１２ａの中間部は、上述の実施の形態ではパネルエスカッション１の裏面に接触させているが、どこにも接触しないように配置することもできる。しかし、音響機器に応用する場合は、引張バネ部１２ａは、どこにも接触しないように配置されていると、車の走行時の振動により他の部品と接触して異音を発生するおそれがある。したがって、この場合は、引張バネ部１２ａの中間部は、実施の形態のように、パネルエスカッション１の裏面に接触するように配置するのが好適である。
【００６４】
また、図２に示した弾性部材１２の渦巻き状バネ部１２ｂは、実施の形態では引張バネ部１２ａの鋭角をなす中間部に向かう方向に巻き始めて、最初の径が小さく次第に径が大きくなる渦巻き状に巻かれると共にその先端が「く」字状の鋭角α側から鈍角β側に向かうように巻かれている（第１の巻き方とする）。すなわち、図４（Ｂ）に示すように、右側の渦巻き状バネ部１２ｂは、引張バネ部１１２ａから見て反時計方向に，左側の渦巻き状バネ部１２ｂは、時計方向にそれぞれ巻かれている。
【００６５】
しかし、その反対に、引張バネ部１２ａの鈍角βをなす中間部に向かう方向に巻き始めて、最初の径が小さく次第に大きくなる渦巻き状に巻いて（第２の巻き方とする）も良い。すなわち、図５（Ａ）に示すように、右側の渦巻き状バネ部１２ｂを、引張バネ部１２から見て時計方向に、左側の渦巻き状バネ部１２ｂを、反時計方向に巻くようにしても良い。このように、渦巻き状バネ部１２ｂは、第１の巻き方と第２の巻き方のどちらでも、その弾性によりスライドドア２をパネルエスカッション１に押さえ付ける作用を行う。
【００６６】
ところが、スライドドア２の開閉時、丸ボス部４ｂ，５ｂが左右方向に互いに離れるように移動した場合、第２の巻き方では、上述の場合に引張られる引張バネ部１２ａが内側に絞られるように変形し、ストレスが大きくかかる。一方、実施の形態で採用している第１の巻き方では、上述の場合に引張られる引張バネ部１２ａが単に広げられる方向に変形するのみで絞られることはない。したがって、第１の巻き方のほうが、より好適である。
【００６７】
また、巻き方として、図５（Ｂ）に示すように、巻く方向は図２と同様とするが、最初に大径として、先端側ほど小径となるようにして渦巻き状バネ部１２ｂを形成しても良い。この場合、図５（Ｂ）のように、巻き始めをパネルエスカッション１側に配置したり、逆に、セムスネジ１３側に巻き始めがくるようにしたりすることができる。
【００６８】
また、図６に示すようなリンク機構に本発明を適用することができる。このリンク機構２３は、アームアセンブリ４，５の対向先端を歯車状の歯部４ｄ，５ｄとし、それらを噛み合わせているものである。その動作は、先に示したリンク機構３と同様となっている。
【００６９】
また、スライドドア２が、開閉時パネルエスカッション１に対してスライド動作するので、スライド動作する際にスライドドア２自体またはスライドドア２に設けた突起部が当たることによってオンするスイッチ手段（図示しない）を設けても良い。この場合、スイッチ手段は、スライドスイッチとして働き、たとえば、パネル照明スイッチなどに利用できる。
【００７０】
また、弾性部材１２は、図７に示すように、鋼線等の線細工で作られ、コイル状引張バネ部１２ｃと、このコイル状引張バネ部１２ｃの両端に直角方向に形成されたコイル状バネ部１２ｄとからなる線細工バネとしても良い。コイル状バネ部１２ｄは、同一の内径となるように複数ターン分巻かれ、その内径に、丸ボス部４ｂ，５ｂが挿入される。この場合、コイル状バネ部１２ｃは、上述の引張バネ部１２ａに相当し、コイル状バネ部１２ｄは、上述の渦巻き状バネ部１２ｂに相当する。
【００７１】
さらに、弾性部材１２は、図８に示すように、板金から一体形成され、中間部分が山形に折り曲げられた引張バネ部１２ｅと、この引張バネ部１２ｅから上方に湾曲するように曲げられた湾曲状バネ部１２ｆとからなる板バネとしても良い。湾曲状バネ部１２ｆには、穴１２ｆ１が形成され、丸ボス部４ｂ，５ｂが挿入される。この場合、引張バネ部１２ｅは、上述の引張バネ部１２ａに相当し、湾曲状バネ部１２ｆは、上述の渦巻き状バネ部１２ｂに相当する。
【００７２】
また、本発明は、車載用音響機器の前面パネルに適用するのが好ましいが、車載用以外の音響機器に適用しても良いし、また音響機器以外の機器、たとえば磁気記録装置（ＦＤＤ）、光記録装置（ＣＤ−ＲＯＭ，ＤＶＤ）等の情報記録装置にも適用することができる。
【００７３】
【発明の効果】
本発明によれば、分割していた板バネ、板バネ押さえ等の部品が不要で、部品点数が削減される。また、部品点数の削減により、組立性の向上やコストダウンにつながる。また、従来構造における板バネや板バネ押さえ部材が不要になり、１個の弾性部材のみで使用可能なので、金型も不要になり、金型費用も発生しない。
【００７４】
さらに、部品点数の削減により、バネ周辺の設計に余裕ができるため、パネル部の厚みを薄くできる等、音響機器のような外形寸法が制限されている場所でのデザインの自由度が増す。
【図面の簡単な説明】
【図１】本発明に係る音響機器の前面パネルの実施の形態を示す分解斜視図である。
【図２】図１の音響機器の前面パネルに使用される弾性部材を示す図で、（Ａ）は正面図で、（Ｂ）は平面図である。
【図３】図１の前面パネルの略断面図であり、（Ａ）、（Ｂ）および（Ｃ）は、それぞれ、スライドドアの閉状態、中間状態および開状態を示す。
【図４】図１の音響機器の前面パネルに使用されるスライドドアの裏面に取り付けられたリンク機構および弾性部材の動作を説明する図で、（Ａ）はリンク機構の動作を説明する略図で、（Ｂ）は、リンク機構の動作に対する弾性部材の引張バネ部の伸縮動作を説明する略図である。
【図５】図１の音響機器の前面パネルに使用される弾性部材の両端の巻き方の変形例を示す図で、（Ａ）は第１の変形例を、（Ｂ）は第２の変形例を示す。
【図６】図１の音響機器の前面パネルに使用されるリンク機構の他の例を示す図である。
【図７】図１の音響機器の前面パネルに使用される弾性部材の他の構成例を示す図で、（Ａ）および（Ｂ）は、それぞれ正面図および平面図である。
【図８】図１の音響機器の前面パネルに使用される弾性部材のさらに他の構成例を示す図で、（Ａ）および（Ｂ）は、それぞれ正面図および平面図である。
【図９】従来の音響機器の前面パネルの斜視図であり、（Ａ）は、スライドドアが閉じた状態、（Ｂ）はスライドドアが開いた状態を示す。
【図１０】本発明および従来の音響機器におけるスライドドアの裏面に取り付けられたリンク機構を示す略図である。
【図１１】本発明および従来の音響機器におけるにおけるスライドドアの裏面に取り付けられたリンク機構の動作を示す略図であり、（Ａ）、（Ｂ）および（Ｃ）は、リンク機構の各アームアセンブリの移動過程を示す。
【図１２】図９の前面パネルにおけるパネルエスカッションへのスライドドアの取付を説明する略図であり、（Ａ）は斜視図であり、（Ｂ）、（Ｃ）および（Ｄ）は、それぞれ、スライドドアの閉状態、中間状態および開状態を説明するための略断面図である。
【図１３】従来の音響機器の前面パネルの構造例を示す分解斜視図である。
【図１４】図１３の前面パネルの略断面図であり、（Ａ）、（Ｂ）および（Ｃ）は、それぞれ、スライドドアの閉状態、中間状態および開状態を示す。
【図１５】図１３の音響機器の前面パネルに使用されるスライドドアの裏面に取り付けられたリンク機構の動作を説明する図で、（Ａ）はリンク機構の動作を説明する略図で、（Ｂ）は、リンク機構の動作に対する線細工バネの伸縮動作を説明する略図である。
【符号の説明】
１      パネルエスカッション
１ａ    記録媒体挿入口
２      スライドドア
３      リンク機構
１２    弾性部材（線細工バネ、板バネ）
１２ａ  引張バネ部
１２ｂ  渦巻き状バネ部
１２ｃ  コイル状引張バネ部
１２ｄ  コイル状バネ部
１２ｅ  引張バネ部
１２ｆ  湾曲状バネ部
【図１】
0003718368.tif 000002
【図２】
0003718368.tif 000003
【図３】
0003718368.tif 000004
【図４】
0003718368.tif 000005
【図５】
0003718368.tif 000006
【図６】
0003718368.tif 000007
【図７】
0003718368.tif 000008
【図８】
0003718368.tif 000009
【図９】
0003718368.tif 000010
【図１０】
0003718368.tif 000011
【図１１】
0003718368.tif 000012
【図１２】
0003718368.tif 000013
【図１３】
0003718368.tif 000014
【図１４】
0003718368.tif 000015
【図１５】
0003718368.tif 000016